(57)【要約】【課題】アドレスドライバ回路ブロックを低コストで構成できるようにすることにより、プラズマディスプレイ装置の低価格化を実現することを目的とする。【解決手段】プラズマディスプレイパネルのアドレス電極に表示データを供給するためのアドレスドライバ回路ブロックのフレキシブル配線基板４０において、フレキシブル配線基板４０を、出力配線４１ａを有する第１の配線板４１と、この第１の配線板４１から分離されかつ入力配線４２ａを有する第２の配線板４２とで構成し、かつ前記第１の配線板４１と第２の配線板４２のドライバＩＣ４３側の端部を金属放熱板４５に固着した。【選択図】　図３
2004094091.tif 000002
【特許請求の範囲】
【請求項１】
放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの前記アドレス電極に表示データを供給するためのドライバＩＣと、このドライバＩＣの出力端子と前記プラズマディスプレイパネルのアドレス電極とを接続する出力配線および前記ドライバＩＣの入力端子に接続される入力配線を有するフレキシブル配線基板と、このフレキシブル配線基板の前記ドライバＩＣが配置される部分に前記ドライバＩＣおよびフレキシブル配線基板に接するように配設した金属放熱板とを備え、前記フレキシブル配線基板は、前記出力配線を有する第１の配線板とこの第１の配線板から分離されかつ前記入力配線を有する第２の配線板とで構成し、かつ前記第１の配線板と第２の配線板のドライバＩＣ側の端部を前記金属放熱板に固着したことを特徴とするプラズマディスプレイ装置。
【請求項２】
ドライバＩＣを金属放熱板に固着し、かつ入力端子と出力端子をそれぞれ第１の配線板の出力配線と第２の配線板の入力配線にワイヤーボンド実装にて電気的に接続したことを特徴とする請求項１記載のプラズマディスプレイ装置。
【請求項３】
第１の配線板の出力配線の配線本数が第２の配線板の入力配線の配線本数より多いことを特徴とする請求項１記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
まず、プラズマディスプレイ装置におけるプラズマディスプレイパネルの構造について図５を用いて説明する。図５に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００４】
また、前記前面側の基板１に対向配置される背面側の基板５上には、スキャン電極およびサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００５】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色および青色となるように蛍光体層９が一色ずつ順次配置されている。
【０００６】
図６にこのプラズマディスプレイパネルの電極配列を示しており、図６に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００７】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００８】
図７にプラズマディスプレイ装置の表示駆動回路の構成を示している。図７に示すように、図５に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、およびサブフィールド変換部１９を備えている。
【０００９】
図７の回路において、まず、映像信号ＶＤは、Ａ／Ｄコンバータ１７に入力される。また、水平同期信号Ｈおよび垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００１０】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００１１】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１およびシフトレジスタ１２２を有する。また、サステインドライバ回路１３は、出力回路１３１およびシフトレジスタ１３２を有する。これらのスキャンドライバ回路１２およびサステインドライバ回路１３は共通の電源回路１６に接続されている。
【００１２】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００１３】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する。
【００１４】
図８にこのプラズマディスプレイ装置の表示駆動回路のタイミングチャートの一例を示しており、図８に示すように、書き込み期間では、全てのサステイン電極ＳＵＳ１〜ＳＵＳＭを０（Ｖ）に保持した後に、第１行目の表示する放電セルに対応する所定のアドレス電極Ｄ１〜ＤＮに正の書き込みパルス電圧＋Ｖｗ（Ｖ）を、第１行目のスキャン電極ＳＣＮ１に負の走査パルス電圧−Ｖｓ（Ｖ）をそれぞれに印加すると、所定のアドレス電極Ｄ１〜ＤＮと第１行目のスキャン電極ＳＣＮ１との交点部において、書き込み放電が起こる。
【００１５】
次に、第２行目の表示する放電セルに対応する所定のアドレス電極Ｄ１〜ＤＮに正の書き込みパルス電圧＋Ｖｗ（Ｖ）を、第２行目のスキャン電極ＳＣＮ２に負の走査パルス電圧−Ｖｓ（Ｖ）をそれぞれに印加すると、所定のアドレス電極Ｄ１〜ＤＮと第２行目のスキャン電極ＳＣＮ２との交点部において書き込み放電が起こる。
【００１６】
上記同様の動作が順次に行われて、最後に第Ｍ行目の表示する放電セルに対応する所定のアドレス電極Ｄ１〜ＤＮに正の書き込みパルス電圧＋Ｖｗ（Ｖ）を、第Ｍ行目のスキャン電極ＳＣＮＭに負の走査パルス電圧−Ｖｓ（Ｖ）をそれぞれに印加すると、所定のアドレス電極Ｄ１〜ＤＮと第Ｍ行目のスキャン電極ＳＣＮＭとの交点部において書き込み放電が起こる。
【００１７】
次の維持期間では、全てのスキャン電極ＳＣＮ１〜ＳＣＮＭを一旦０（Ｖ）に保持すると共に、全てのサステイン電極ＳＵＳ１〜ＳＵＳＭに負の維持パルス電圧−Ｖｍ（Ｖ）を印加すると、書き込み放電を起こした前記交点部におけるスキャン電極ＳＣＮ１〜ＳＣＮＭとサステイン電極ＳＵＳ１〜ＳＵＳＭとの間に維持放電が起こる。次に全てのスキャン電極ＳＣＮ１〜ＳＣＮＭと全てのサステイン電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００１８】
次の消去期間において、全てのスキャン電極ＳＣＮ１〜ＳＣＮＭを一旦０（Ｖ）に保持すると共に、全てのサステイン電極ＳＵＳ１〜ＳＵＳＭに消去パルス電圧−Ｖｅ（Ｖ）を印加すると、消去放電を起こして放電が停止する。
【００１９】
以上の動作により、プラズマディスプレイ装置において、一画面が表示される。
【００２０】
ところで、このような構成のプラズマディスプレイ装置において、プラズマディスプレイのアドレス電極に表示データを供給するアドレスドライバ回路ブロック部分には、プラズマディスプレイパネルのアドレス電極に表示データを供給するためのドライバＩＣと、このドライバＩＣが搭載されかつプラズマディスプレイパネルおよび駆動回路部分とドライバＩＣを接続するためのフレキシブル配線基板とが用いられている。また、フレキシブル配線基板には、ドライバＩＣの出力端子とプラズマディスプレイパネルのアドレス電極とを接続する出力配線および前記ドライバＩＣの入力端子に接続される入力配線が形成されており、出力配線の一端部はプラズマディスプレイパネルの複数のアドレス電極の電極引出部それぞれに異方導電性接着材などを介して電気的に接続され、入力配線の一端部は駆動回路部と電気的に接続されている。
【００２１】
【特許文献１】
特開平１１−１９４７１８号公報
【００２２】
【発明が解決しようとする課題】
このようにアドレスドライバ回路ブロックに用いられるフレキシブル配線基板の出力配線部分は、プラズマディスプレイパネルのアドレス電極それぞれに接続されるため、多くの配線本数を必要とし、このためフレキシブル配線基板の製造過程において、断線などの配線欠陥などが発生しやすい。しかも、一般的にフレキシブル配線基板は、１枚の大判の基板素材に複数の配線基板パターンを形成した後、個々の配線基板に分離することにより製造されるが、プラズマディスプレイ装置に使用されるフレキシブル配線基板は、複数のドライバＩＣが搭載され、出力配線はプラズマディスプレイパネルと、入力配線は駆動回路基板に接続する構成であるため、大きな面積のものを必要とすることから、一定の面積の基板素材から得られる数量が少なくなる。したがって、上述した配線欠陥などの製造上での歩留りを考慮すると、アドレスドライバ回路ブロック部分における価格がより高いものとなってしまう。
【００２３】
本発明はこのような課題に鑑みなされたもので、アドレスドライバ回路ブロックを低コストで構成できるようにすることによりプラズマディスプレイ装置の低価格化を実現することを目的とするものである。
【００２４】
【課題を解決するための手段】
上記目的を達成するために本発明のプラズマディスプレイ装置は、プラズマディスプレイパネルのアドレス電極に表示データを供給するためのアドレスドライバ回路ブロックのフレキシブル配線基板において、フレキシブル配線基板は、前記出力配線を有する第１の配線板とこの第１の配線板から分離されかつ前記入力配線を有する第２の配線板とで構成し、かつ前記第１の配線板と第２の配線板のドライバＩＣ側の端部を金属放熱板に固着したものである。
【００２５】
【発明の実施の形態】
すなわち、本発明の請求項１記載の発明は、放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの前記アドレス電極に表示データを供給するためのドライバＩＣと、このドライバＩＣの出力端子と前記プラズマディスプレイパネルのアドレス電極とを接続する出力配線および前記ドライバＩＣの入力端子に接続される入力配線を有するフレキシブル配線基板と、このフレキシブル配線基板の前記ドライバＩＣが配置される部分に前記ドライバＩＣおよびフレキシブル配線基板に接するように配設した金属放熱板とを備え、前記フレキシブル配線基板は、前記出力配線を有する第１の配線板とこの第１の配線板から分離されかつ前記入力配線を有する第２の配線板とで構成し、かつ前記第１の配線板と第２の配線板のドライバＩＣ側の端部を前記金属放熱板に固着したものである。
【００２６】
また、請求項２に記載の発明は、請求項１において、ドライバＩＣを金属放熱板に固着し、かつ入力端子と出力端子をそれぞれ第１の配線板の出力配線と第２の配線板の入力配線にワイヤーボンド実装にて電気的に接続したことを特徴とする。
【００２７】
また、請求項３に記載の発明は、請求項１において、第１の配線板の出力配線の配線本数が第２の配線板の入力配線の配線本数より多いことを特徴とする。
【００２８】
以下、本発明の一実施の形態によるプラズマディスプレイ装置について、図１〜図４を用いて説明するが、本発明の実施の態様はこれに限定されるものではない。
【００２９】
図１にプラズマディスプレイ装置の全体構成の一例を示している。図において、２０は図５に示す構成のパネルであり、このパネル２０を収容する筐体は、前面枠２１と金属製のバックカバー２２とから構成され、前面枠２１の開口部には光学フィルターおよびパネル２０の保護を兼ねたガラスなどからなる前面カバー２３が配置されている。また、この前面カバー２３には電磁波の不要輻射を抑制するために、例えば銀蒸着が施されている。さらに、バックカバー２２には、パネル２０などで発生した熱を外部に放出するための複数の通気孔２２ａが設けられている。
【００３０】
前記パネル２０は、アルミニウムなどからなるシャーシ部材２４の前面に熱伝導シート２５を介して接着することにより保持され、そしてシャーシ部材２４の後面側には、パネル２０を表示駆動させるための複数の回路ブロック２６が取り付けられている。前記熱伝導シート２５は、パネル２０で発生した熱をシャーシ部材２４に効率よく伝え、放熱を行うためのものである。また、回路ブロック２６はパネル２０の表示駆動とその制御を行うための電気回路を備えており、パネル２０の縁部に引き出された電極引出部に、シャーシ部材２４の四辺の縁部を越えて延びる複数のフレキシブル配線基板（図示せず）によって電気的に接続されている。
【００３１】
また、シャーシ部材２４の後面には、回路ブロック２６を取り付けたり、バックカバー２２を固定するためのボス部２４ａがダイカストなどによる一体成型により突設されている。なお、このシャーシ部材２４は、アルミニウム平板に固定ピンを固定して構成してもよい。
【００３２】
図２はこのような構成のプラズマディスプレイ装置において、バックカバー２２を外して内部の配置構造を示す平面図であり、図２においてスキャンドライバ回路ブロック３０はパネル２０のスキャン電極に所定の信号電圧を供給し、サステインドライバ回路ブロック３１はパネル２０のサステイン電極に所定の信号電圧を供給し、アドレスドライバ回路ブロック３２はパネル２０のアドレス電極に所定の信号電圧を供給するもので、スキャンドライバ回路ブロック３０、サステインドライバ回路ブロック３１はシャーシ部材２４の幅方向の両端部にそれぞれ配置され、またアドレスドライバ回路ブロック３２はシャーシ部材１４の高さ方向の下端部に配置されている。
【００３３】
制御回路ブロック３３は、テレビジョンチューナなどの外部機器に接続するための接続ケーブルが着脱可能に接続される入力端子部を備えた入力信号回路ブロック３４から送られる映像信号に基づき、画像データをパネル２０の画素数に応じた画像データ信号に変換してアドレスドライバ回路ブロック３２に供給すると共に、放電制御タイミング信号を発生し、各々スキャンドライバ回路ブロック３０およびサステインドライバ回路ブロック３１に供給し、階調制御などの表示駆動制御を行うもので、シャーシ部材２４のほぼ中央部に配置されている。
【００３４】
電源ブロック３５は、前記各回路ブロックに電圧を供給するもので、前記制御回路ブロック３３と同様、シャーシ部材２４のほぼ中央部に配置され、電源ケーブル（図示せず）が装着されるコネクタ３６を有する電源入力ブロック３７を通して商用電源電圧が供給される。
【００３５】
ブラケット３８はスタンドポールに装着されるもので、シャーシ部材２４の高さ方向の下端部の位置に取り付けられている。据置用のスタンドに取り付けたスタンドポールの先端部をブラケット３８の孔に挿入し、ビスなどによりスタンドポールをブラケット３８に固定することによりスタンドが取り付けられ、これによりパネルを立てた状態で保持されることとなる。
【００３６】
フレキシブル配線基板３９は、パネル２０のスキャン電極、サステイン電極の電極引出部とスキャンドライバ回路ブロック３０、サステインドライバ回路ブロック３１のプリント配線板とを接続するものである。
【００３７】
また、フレキシブル配線基板４０はパネル２０のアドレス電極の電極引出部とアドレスドライバ回路の駆動回路を搭載したプリント配線板とを接続するものであり、それぞれパネル２０の外周部を通して、前面側より背面側に１８０度湾曲させて引き回して配置している。
【００３８】
図３にアドレス電極に表示データを供給するためのアドレスドライバ回路ブロックを側面から見た断面を示し、図４に上面側から見た平面を示している。
【００３９】
図３、図４において、４０は上述したフレキシブル配線基板であり、このフレキシブル配線基板４０は、パネル２０のアドレス電極の電極引出部それぞれに異方導電性接着材などにより接続される出力配線４１ａを有する第１の配線板４１と、この第１の配線板４１から分離されかつアドレスドライバ回路の駆動回路基板に接続される入力配線４２ａを有する第２の配線板４２とで構成されており、また第１の配線板４１の出力配線４１ａの配線本数は、第２の配線板４２の入力配線４２ａの配線本数より多い構成である。また、第１の配線板４１、第２の配線板４２は、それぞれフレキシブルな屈曲性を有するポリアミド樹脂フィルムからなるベースフィルム４１ｂ、４２ｂ上に、銅箔などからなる複数本の出力配線４１ａ、入力配線４２ａを形成し、そして出力配線４１ａ、入力配線４２ａの両端部を露出させた状態で、それらの配線を保護するために接着層４１ｃ、４２ｃを介してあらかじめフィルム状に形成されていた保護層４１ｄ、４２ｄを固着した構成である。
【００４０】
４３はパネル２０のアドレス電極に表示データを供給するためのドライバＩＣであり、このドライバＩＣ４３の出力端子は第１の配線板４１の出力配線４１ａの一端部に接続ワイヤ４４によるワイヤーボンド実装法により接続され、また入力端子は第２の配線板４２の入力配線４２ａの一端部に同じく接続ワイヤ４４によるワイヤーボンド実装法により接続されている。
【００４１】
４５はフレキシブル配線基板４０の前記ドライバＩＣ４３が配置される部分にドライバＩＣ４３およびフレキシブル配線基板４０に接するように配設したアルミニウム板などの金属放熱板であり、この金属放熱板４５には、ドライバＩＣ４３および前記第１の配線板４１と第２の配線板４２のドライバＩＣ４３側の端部が接着層４６を介して固着されており、この金属放熱板４５は上述したシャーシ部材２４にねじなどにより固定されている。また、この金属放熱板４５に固着されたドライバＩＣ４３は、第１の配線板４１および第２の配線板４２とのワイヤーボンド実装部分を含めてエポキシなどの樹脂４７によりモールドされており、機械的なダメージよりドライバＩＣ４３および実装部を保護している。
【００４２】
このように本発明においては、フレキシブル配線基板４０は、多くの配線本数を必要とする出力配線４１ａを有する第１の配線板４１と、この第１の配線板から分離された入力配線４２ａを有する第２の配線板４２とで構成したものであり、フレキシブル配線基板の製造過程において、断線などの配線欠陥などが発生しやすい第１の配線板４１と配線本数の少ない第２の配線板４２とを別個に製造することが可能で、この結果フレキシブル配線基板として損失が少なくなるとともに、一定の面積の基板素材から得られる数量を増やすことができ、アドレスドライバ回路ブロック全体として安価に構成することができる。
【００４３】
また、フレキシブル配線基板が第１の配線板４１と第２の配線板４２とに分離したことにより、要求される信頼性に応じて配線板の材質、配線の厚みなどの構成を変えることができ、基板面積を大きくするなどを行なうことなく、最適設計の構成を容易に得ることができる。
【００４４】
【発明の効果】
以上説明したように本発明によれば、アドレスドライバ回路ブロックのフレキシブル配線基板を、多くの配線本数を必要とする出力配線を有する第１の配線板と、この第１の配線板から分離された入力配線を有する第２の配線板とで構成したものであり、フレキシブル配線基板として損失が少なくなり、アドレスドライバ回路ブロック全体として安価に構成することができる。
【図面の簡単な説明】
【図１】本発明の一実施の形態によるプラズマディスプレイ装置の内部の配置構造を示す分解斜視図
【図２】同プラズマディスプレイ装置の内部の配置構造を示す平面図
【図３】同プラズマディスプレイ装置のアドレスドライバ回路ブロック部分の構成を示す断面図
【図４】同じく平面図
【図５】プラズマディスプレイ装置のパネルの概略構成を示す斜視図
【図６】同プラズマディスプレイ装置のパネルの電極配列を示す説明図
【図７】同プラズマディスプレイ装置の表示駆動回路の一例を示すブロック回路図
【図８】同プラズマディスプレイ装置の駆動方法の一例を示す信号波形図
【符号の説明】
２０　パネル
４０　フレキシブル配線基板
４１　第１の配線板
４１ａ　出力配線
４２　第２の配線板
４２ａ　入力配線
４３　ドライバＩＣ
４５　金属放熱板
【図１】
2004094091.tif 000003
【図２】
2004094091.tif 000004
【図３】
2004094091.tif 000005
【図４】
2004094091.tif 000006
【図５】
2004094091.tif 000007
【図６】
2004094091.tif 000008
【図７】
2004094091.tif 000009
【図８】
2004094091.tif 000010